Podtech/llm-jp-corpus-v4-ja_patent huggingface dataset:
(57)【要約】【課題】  洗った生野菜の水分を、すばやく簡単に除去する布巾を提供する。【解決手段】  一枚の手ぬぐいと同じ形状の布を袋状の布巾に製作して使用する事により、【図３】イ、ロ、ハの３通りの方法で水分除去ができる。よって、従来のただの一枚の布巾よりも使いやすく、迅速に水分除去が可能である。【選択図】  図２
2005095547.tif 000002
【特許請求の範囲】
【請求項１】
一枚の手ぬぐいと同じ形状の布を半分に折り、二方を縫って袋状にして使用する布巾である。
【発明の詳細な説明】
【発明の詳細な説明】
【技術分野】
【０００１】本発明は、洗った生野菜の水分を容易に除去できる布巾である。手ぬぐいを袋状にする事は、大きな塊の野菜から細かく刻んだ野菜まで外にこぼさず、一度に入れて使用可能である。また二三回振るだけで、簡単に手早く場所を取らずに野菜の水分を除去できるものである。
【背景技術】
【０００２】従来は、一枚の布巾を使用して包み込むか、又は上からそっと押さえて水分をふき取っていた。あるいは、遠心力を利用した場所をとる装置による水切り器などがある。しかし、十分に水分を除去するのに手間がかかる欠点があった。
【発明が解決しようとする課題】
【０００３】毎日料理をする上で、洗った生野菜の水切りは、場所をとらず手軽に出来る事が必要不可欠で大事である。本発明は、この課題を解消するものである。
【発明の実態の形態】
【０００４】一枚の手ぬぐい
【図１】
を半分に折って二方を縫い袋状にする。下側は一度縫い、片側は袋縫いにする
【図２】
。  この縫い方は、布巾が表も裏もなく使える事を可能にする。水切りの手順は袋状の布巾に野菜を入れて手で口を閉じる。袋下の左右の角に野菜を交互に寄せて振る。（
【図３】
イ、ロ、ハ）。その時に、野菜を左に寄せた時には袋右端を
【イ】
、右に寄せた時には袋左端を持って振る
【ロ】
。更に水分除去が十分でない時は逆さまにして振る
【ハ】
。
以上の３通りの方法で水分を布巾に吸収させて除去することが出来る。
【発明の効果】
【０００５】袋状の布巾を使用する事により、場所をとらずに手早く簡単に生野菜の水分が除去できるので、サラダ、炒め物、おひたし等料理の下準備のスピードアップが図れる。又、水分がほとんど除去された状態で料理につかえるので、火の通りが速くゆで時間炒め時間の短縮につながる。ゆえに、栄養の損失防止にも役立ちおいしく食べられる利点がある。
【図面の簡単な説明】
【図１】本発明の布巾を製作する前の手ぬぐいの図である。
【図２】本発明の布巾の製作図と仕上がり図である。
【図３】本発明の野菜の水きり方法の図である。イ、ロ、ハの３通りがある。
【符号の説明】
１、    手ぬぐい
２、    中心線
３、    一度縫い
４、    袋縫い
５、    野菜
【図１】
2005095547.tif 000003
【図２】
2005095547.tif 000004
【図３】
2005095547.tif 000005
(57)【要約】【課題】  幼児用の遊び椅子としてばかりでなく、大人特に夫婦間の営みにも転用可能な遊戯用回転道具の提供。【解決手段】  上下調節可能な複数本の支脚上に円形上の座受部材を設け、この座受部材上に同じく円形状の座を回転自在に設置し、該座上に女性を着座させ、男性が仰向けに伏して前記座を回転させるようになる。【選択図】  「図１」
2005095545.tif 000002
【特許請求の範囲】
【請求項１】
上下調節可能な複数本の支脚と、該支脚上に固定されている芯円形状の座受部材と、該座受部材に回転可能に支持され、両側に把手を有する芯円形状の座とからなる遊戯用回転道具。
【発明の詳細な説明】
【技術分野】
【０００１】  本発明は、子供は無論のこと、大人にとつても奇抜且つ面白い遊戯用回転道具に関するものでおる。
【背景技術】
【０００２】  幼児等をあやしたりする玩具は市場に多数提供されているが、これらの玩具が同時に大人特に夫婦間の交渉にも転用可能なものは皆無でおる。
【発明の開示】
【発明が解決しようとする課題】
【０００３】  解決しょうとする問題点は、幼児用の玩具としてばかりでなく、大人、特に夫婦生活において、新鮮さを導きだすための道具としても極めて斬新且つ奇抜的で興味多い遊戯用回転道具の提供を目的としたものである。
【課題を解決するための手段】
【０００４】  本発明は、前記の目的を達成する手段として、上下調節可能な複数本の支脚と、該支脚上に固定されている芯円形状の座受部材と、該座受部材に回転可能に支持され、両側に把手を有する芯円形状の座とから構成されている。
【発明の効果】
【０００５】  本発明によれば、前記座上に幼児を座らせて座を回転すれば幼児用の遊戯道具として幼児をあやしながら楽しむことができるばかりでなく、これが夫婦生活の道具として使用するときは、図３に示す如く、男性が支脚の隙間に脚を入れて仰向けに伏せて女性が座上に座って座を回転すれば夫婦の行為に適度の回転摩擦が得られるようになり、斬新的且つ新鮮な感触が得られる利点がある。
【発明を実施するための最良の形態】
【０００６】  本発明を実施するときは、製品の耐久度並びに量産化に伴うコスト削減の点を考慮すると、ステンレス製或いは合成樹脂製とすることが最も望ましい。
【実施例１】
【０００７】  図１は、本発明の斜視図であって、図２は、座の回転構造と支脚の上下調節構造を示し、図３は、使用状況の一例を示す図である。
而して、本発明は、等間隔に配置された３本の支脚１は、中間部でネジ接合されており、このネジ部を回転することによって上下調節が可能となり、使用者の好みによって座の高さをセッテイングすることができるものである。この上下調節構造は一例を示したものであって、図示の構造に限定されることなく支脚の上下調節が可能な手段を含むものでありコスト面と操作の利便性を考慮して選択することが望ましい。【０００８】  前記３本の支脚１上には芯円形状の座受部材２が設置されており、この座受部材２内にベアリング部材３が埋設固定されており、そして、座受部材２上に配置される芯円形状の座４が前記ベアリング部材３上に固定されていて座４が円滑に回動するようになり、着座者は座４の両側に設けた把手５を把持するようになり、使用者の好みに応じて回転速度が選択できるようになる。
【産業上の利用可能性】
【０００９】  本発明に係る遊戯用回転道具は、幼児のあやし道具ばかりでなく大人特に夫婦間の営みにも新鮮味のある感触を与え幅広い使用方法が考えられ、又、その構造面からして合成樹脂或いはステンレス等にって型成形による量産化が可能であり、部品点数の少なさと相俟って故障率の少ない堅牢な製品を廉価に提供することができるものである。
【図面の簡単な説明】
【００１０】
【図１】  本発明に係る遊戯用回転道具の斜視図である。
【図２】  支脚の上下調節構造と座の回転構造を示した一部断面図である。
【図３】  使用状況の一例を示した図である。
【符号の説明】
【００１１】    １  支脚
２  座受部材
３  ベアリング部材
４  座
５  把手
【図１】
2005095545.tif 000003
【図２】
2005095545.tif 000004
【図３】
2005095545.tif 000005
(57)【要約】【課題】  屋外運動施設でシェルターを施工やテント設営を行わず常設型の日陰領域を提供すること。また、運動施設の競技領域を損なわない構造にすること。【解決手段】  一般的に運動施設に施工される防球ネットの下部に日除けのテント部分を有しその防球ネットとテント部分は共有の柱で成り立つ構造を特徴とする構造物にする。【選択図】  図１
2005095550.tif 000002
【特許請求の範囲】
【請求項１】
下部にテントもしくは日除け構造を有する防球ネット
【請求項２】
下部にテントもしくは日除け構造を有するフェンス
【請求項３】
支柱をテントもしくは日除け構造の支柱とを共有する防球ネット
【請求項４】
支柱をテントもしくは日除け構造の支柱とを共有するフェンス
【発明の詳細な説明】
【技術分野】
【０００１】この発明は日中日陰の少ない屋外運動施設において、快適な日陰領域を提供するものである。
【背景技術】
【０００２】従来は日陰が必要な場所にははシェルターと呼ばれる基礎に建つ柱の上に屋根のあるものを設置していた。また短期間必要の時はテントを設営するのが一般であった。
【発明の開示】
【発明が解決しようとする課題】
【０００３】日陰の少ない屋外運動施設においてシェルターを設置する場合はシェルターの基礎・支柱は運動競技の妨げになるので競技領域を尊重しシェルターの設置を断念する場合もあった。【０００４】テントは常設するために作られたものでないので強風にあおられて転倒するなど危険性もあった。
【課題を解決するための手段】
【０００５】防球ネットと呼ばれる運動競技場の周囲に球技の球が敷地外に飛び出すことを防止する為のもので柱にワイヤーを張りそれに化繊ネットをとりつけてある構造物でその下部に日除けのテント部分を有しそれらは共有の支柱で成り立つ構造を特徴とする一体型の構造物にする。
【発明の効果】
【０００６】屋外運動施設の周囲に設置する防球ネットと支柱を共有することによって新たに競技領域の妨げになるシェルター用の柱・基礎を設置すること無く日陰領域を提供することができる。【０００７】常設の防球ネット支柱と一体型のため常設の日除け施設として利用可能である。
【実施例】
【０００８】図について説明すれば、
防球ネット部分はは防球ネット支柱（１）にネット支持ワイヤー取付金具（４）によって取り付けられているネット支持ワイヤー（３）にネット（２）が付いている。下部テント部分はは支持梁取付金具（６）によって取り付けられた支持梁（５）、前梁（１２）および後梁取付金具（７）によって取付けられた後梁（８）に取付ロープ（１４）によって取付けられた防水・遮光シート（１３）からなり、支持梁（５）が下がらないように吊りワイヤー取付金具（１０）に取り付けた吊りワイヤー（９）で支持梁（５）や前梁（１２）に付けた吊り金具（１１）で支持している。
【産業上の利用可能性】
【０００９】この発明によれば屋外運動施設において日陰領域を提供することによって屋外運動施設での運動者が休憩時利用でき、また見学者や指示者等もこの日陰領域を利用すれば日射病の心配もなくなる。また支柱が共通なので既存の防球ネットの下部をこの構造にすれば基礎設置が不要となり処分土の発生を無しに出来、シェルター新設するよりも工期が短縮できる。
【図面の簡単な説明】
【００１０】
【図１】本発明の斜視図である。
【符号の説明】
【００１１】（１）防球ネット支柱
（２）ネット
（３）ネット支持ワイヤー
（４）ネット支持ワイヤー取付金具
（５）支持梁
（６）支持梁取付金具
（７）後梁
（８）後梁取付金具
（９）吊りワイヤー
（１０）吊りワイヤー取付金具
（１１）吊り金具
（１２）前梁
（１３）防水・遮光シート
（１４）取付ロープ
【図１】
2005095550.tif 000003
(57)【要約】［課題］  身障者、高齢者のための杖になる発明でダブルステッキ（バッグ付き）を提供する。［解決手段］  身体を支える為の幅広い持ち手と、超軽量のアルミニウムにより、３段階から５段階の切り替えストッパーで、フックにより伸縮出来るダブルステッキで、取り外し自由のバッグ付きである。又膝の上にも乗るコンパクトを特徴とする。【選択図】  図２
2005095529.tif 000002
【特許請求の範囲】
【請求項１】
ステッキ２本を橋渡しにつなぐ事により、１体化にし、手で  持つ上の部分又は、中間部分にストッパーを設置し、３段階から５段階に切り替える事により、伸縮出来るコンパクトで、超軽量のアルミニウムを特徴とする、ダブルステッキのバッグ付である。
【発明の詳細な説明】
【発明の詳細な説明】
［発明の属する技術分野］
【０００１】  この発明は、歩行に使用するステッキを、ダブルにした利用方法である。
［従来の技術］
【０００２】  従来の技術は、１本だけで使用するステッキである。
［発明が解決しようとする課題］
【０００３】  足の悪い障害者、及び高齢者が主にステッキを使用するに当たり、身体を支える安定感と、便利さを課題にした解決策である。
［課題を解決するための手段］
【０００４】  ダブルステッキを使用する事により、持つ手の幅が広いため身体を支える安定感と散歩、買い物等に使用出来るバッグ付である。
［発明の実施の形態］
【０００５】  以下、本発明の実施の形態について説明する。
（イ）本体がアルミニウムの軽量な筒と、プラスチックを使用している事。
（ロ）手で持つ上の部分か、中間の位置に伸縮出来るストッパーを配置し３段階から５段階の切り替えフックにより、膝の上にも乗る小コンパクトになる。
（ハ）ダブルステッキだけの歩行と、散歩買い物等小物を入れるための、取り外し自由のバッグを取り付けられる。
［発明の効果］
【０００６】  従来の１本ステッキでの外出は、リュックやバッグを背負い更にステッキを持つ事は身体に負担がかかり、中からお財布を取り出すにもステッキを置いて、バッグを開かなくてはならない不便さが、総て解消され便利になる。
【図面の簡単な説明】
【図１】  本発明の表面図である。
【図２】  本発明の表面図にバッグを取り付けた図である。
【図３】  本発明のダブルステッキの上の部分か、中間部分のストッパーを押す事により下におろし、小さくコンパクトにした状態図である。
【符号の説明】
１  アルミニウム製の丸い筒。
２  プラスチック製の持ち手。
３  上の部分と中間部分にあるストッパー。
４  各丸い筒の２本に蛍光テープと反射テープの表示。
５  取り外し自由のバッグ。
６  バッグの後ろに付いているベルト。
７  足に付いているゴムカバー。
８  切り替えフック。
【図１】
2005095529.tif 000003
【図２】
2005095529.tif 000004
【図３】
2005095529.tif 000005
(57)【要約】      （修正有）【課題】携帯が容易で災害時に即使用できる防災用マスクや眼鏡を提供する。【解決手段】マスクや眼鏡の片側の一部か全部を顔面に直接張り付ける為の材質をマスクや眼鏡の片側にほどこす。【選択図】図３
2005095530.tif 000002
【特許請求の範囲】
【請求項１】
マスク部分とする素材を直接  顔面に貼り付けて使用する。
【請求項２】
メガネ部分とする素材を直接  顔面に貼り付けて使用する。
【発明の詳細な説明】
【発明の詳細な説明】
【技術分野】本発明は（マスク部分とメガネ部分、本体の材質や形は問わない）マスク部分とメガネ部分を直接顔面に貼り付けて使用する。
【背影技術】
現代社会ではいつ災害に遭遇するかわからない。突然の災害から身を守る手立ては何一つ無い。本発明は常に携帯する事ができ簡単に誰でも使用できる、突然の災害に備える備品である。
【発明の開示】
【発明が解決しようとする課題】従来の防災用品（ガスマスクの様な物）は、携帯する事が困難で、突然の災害に直ぐ使用できる物が無い。また一般的に販売されていない。
【課題を解決する為の手段】
本発明は現代社会に突然おこりうるあらゆる災害に対応できる物であり、コンパクトで簡単に使用できる為、携帯する事ができる。また、衣料品のマスクや通常のメガネの形と違い、顔面に直接貼って使用する為、隙間からの煙や有害ガス、ほこり等の進入を防ぐ事ができる。
【発明の効果】
本発明に使用するマスク部分とメガネ部分の材質や形は、防災重視の材質を使用し、顔面に直接貼り付けるという事は、突然の災害に出遭った時に、簡単に取り付け可能でまた携帯も可能で、装着時には目・鼻・口からの煙や有害物の進入を避ける大きな働きをするものである。
【図１】
2005095530.tif 000003
【図２】
2005095530.tif 000004
【図３】
2005095530.tif 000005
【図４】
2005095530.tif 000006
【図５】
2005095530.tif 000007
【手続補正書】
【提出日】平成16年3月2日(2004.3.2)
【手続補正２】
【補正対象書類名】明細書
【補正対象項目名】全文
【補正方法】変更
【補正の内容】
【発明の詳細な説明】
【技術分野】
【０００１】本発明は（マスク部分とメガネ部分、本体の材質や形は問わない）マスク部分とメガネ部分を直接顔面に貼り付けて使用する為の材質を、片面の一部又は全部に施す。
背影技術【０００２】現代社会ではいつ災害に遭遇するかわからない。  突然の災害から身を守る手立ては何一つ無い。  本発明は常に携帯する事ができ簡単に誰でも使用できる、突然の災害に備える備品である。
発明の開示【０００３】（１）〈発明が解決しようとする課題〉
従来の防災用品（ガスマスクの様な物）は、携帯する事が困難で、突然の災害に直ぐ使用できる物が無い。  また一般的に販売されていない。
（２）〈課題を解決する為の手段〉
本発明は現代社会に突然おこりうるあらゆる災害に対応できる物であり、コンパクトで簡単に使用できる為、携帯する事ができる。  また、衣料品のマスクや通常のメガネの形と違い、顔面に直接貼って使用する為、隙間からの煙や有害ガス、ほこり等の進入を防ぐ事ができる。
（３）〈発明の効果〉
本発明に使用するマスク部分とメガネ部分の材質や形は、防災重視の材質を使用し、顔面に直接貼り付けるという事は、突然の災害に出遭った時に、簡単に取り付け可能でまた携帯も可能で、装着時には目・鼻・口からの煙や有害物の進入を避ける大きな働きをするものである。
【図面の簡単な説明】
【０００４】
【図１】・・目を覆って守る部分の平面図
【図２】・・目を覆って守る部分の立面図
【図３】・・口と鼻を覆って守る部分の平面図
【図４】・口と鼻を覆って守る部分の立面図
【図５】・・上記の物を着用した横顔図  記号イ・記号ロは、一部顔面に貼り付けた場合の、のりしろ部分。  記号ハ・記号二は、一部顔面に貼り付けた場合の、のりしろ部分。
(57)【要約】【課題】    両手で上手くマスカラを使いきれいに仕上げるためのマスカラ容器を立てかける台を提供する。【解決手段】傾斜のある円あるいは楕円のフレーム（１）に３本の支持部（２）を設け、支持部（２）の下部は外側に曲がっていて先端は球体（３）を設けた事を特徴とする。【選択図】  図１
2005095538.tif 000002
【特許請求の範囲】
【請求項１】
円形あるいは楕円形のフレームに３本あるいは複数本の支持部を設けたマスカラを立てかける台
【発明の詳細な説明】
【技術分野】
【０００１】      この発明は、マスカラ使用時にマスカラ容器を立てかけておける化粧用具に関するものである。
【背景技術】
【０００２】      従来、マスカラ使用時にマスカラ容器を立てかけておけるものが無かった。
【発明が解決しようとする課題】
【０００３】  そのために次のような問題点があった。
イ．  片手にマスカラ容器を持ち、もう片手でマスカラを塗っていたので、まぶたに付        いたりまつ毛の根元が塗りにくかったり、上手く塗ることができなかった。
ロ．  マスカラ容器を適当な場所に置いたりすると、安定せず倒れて中身のマスカラ液        がこぼれてしまっていた。
本発明は、以上の問題点を解決するためになされたものである。
【課題を解決するための手段】
【０００４】    円形あるいは楕円形のフレームに３本あるいは複数本の支持部を設けたマスカラを立てかける台
【発明の効果】
【０００５】    本発明を使用することによって、マスカラ容器を安定して立てかけられ、両手が使えるため片手でまぶたを持ち上げながらもう片手でマスカラが塗れるので、まぶたに付かずまつ毛の根元からしっかりきれいに塗れる。
【発明を実施するための最良の形態】
【０００６】以下、本発明の実施の形態を説明する。
（イ）  傾斜のある円あるいは楕円のフレーム（１）に、３本の支持部（２）を設ける。
（ロ）  ３本の支持部（２）は、下部が外側に曲がっていて先端は球体（３）を設ける。
本発明は以上の構成よりなっている。
本発明を使用する時は、マスカラ容器をフレーム（１）の中に入れ立てかけておけるので両手が使える。両手だと片手でまぶたを持ち上げながらもう片手でマスカラが塗れるのでまぶたに付かず、まつ毛の根元からしっかりきれいに塗れる。また、フレーム（１）が傾斜しておりマスカラ容器が入れやすい上、支持部（２）の下部の湾曲と球体（３）を設ける事により、重みが増しさらに安定を得られ、また安全でもある。マスカラを２度、３度塗りする時も容器を立てかけたままマスカラ液をつけ足すことができる。なお、図３に示すように、支持部（２）の下部に受け部（４）を設けても良い。また、図５に示すようにフレーム（１）と支持部（２）の代わりに筒（５）を設けても良い。
【産業上の利用可能性】
【０００７】
【図面の簡単な説明】
【０００８】
【図１】本発明の斜視図
【図２】本発明の使用状態を示す斜視図
【図３】本発明の応用図の斜視図
【図４】本発明の応用図の使用状態を示す斜視図
【図５】本発明の応用図の斜視図
【図６】本発明の応用図の使用状態を示す斜視図
【符号の説明】
１  フレーム
２  支持部
３  球体
４  受け部
５  筒
【図１】
2005095538.tif 000003
【図２】
2005095538.tif 000004
【図３】
2005095538.tif 000005
【図４】
2005095538.tif 000006
【図５】
2005095538.tif 000007
【図６】
2005095538.tif 000008
(57)【要約】【課題】この発明はヘアスプレー使用時に着用し、ヘアスプレーの刺激から肌を守るマスクに関するものである。【解決手段】顔型の布（１）の目、鼻、口の位置に穴を設ける。同じく顔型の布（１）に耳にかけるひも（４）を設ける。顔型の布（１）の下部に顎型の布（２）を、さらに顎型の布（２）の下部に首をおおう布（３）を設け、首をおおう布の上部にマジックテープを設ける。使用する際はマスクを耳にかけ、首後方部のマジックテープをとめる。【選択図】図２
2005095539.tif 000002
【特許請求の範囲】
【請求項１】
（イ）顔型の布（１）に、目、鼻、口の穴を設ける。
（ロ）顔型の布（１）に耳にかけるひも（４）を設ける。
（ハ）顔型の布（１）の下部に顎型の布（２）を設ける。
（ニ）顎型の布（２）の下部に首を覆う布（３）を設ける。
（ホ）首を覆う布（３）の上部にマジックテープ（４）を設ける。
（ヘ）マスクを耳にかけ、首後方部のマジックテープ（５）を留める。
以上の如く構成された、ヘアスプレーによるかぶれ防止マスク。
【発明の詳細な説明】
【発明の詳細な説明】
【発明の属する分野】
【０００１】  この発明は、ヘアスプレー使用時に着用し、ヘアスプレーの刺激から肌を守るマスクに関するものである。
【背景技術】
【０００２】  従来のマスクは、主に風邪予防目的で製造されている。その為、仮に従来のマスクをヘアスプレーによるかぶれ防止の目的で使用した場合、口まわりの一部分しか覆っていない為、顔や首をヘアスプレーの刺激から守るという目的で使用することは出来ない。
【発明が解決しようとする課題】
【０００３】  主に女性が髪のセットをした際、整髪料をつけなければ短時間で乱れてしまう為、セットの仕上げにヘアスプレーを使用し髪を固める方法を選択することが非常に多い。しかし、ヘアスプレーは２０ｃｍ程の離れた距離から使用しないと効果がない為（ヘアスプレー缶にも記載有。）髪にヘアスプレーを使用すると、必然的に顔や首にもかかってしまい、敏感肌の方やアレルギーを持つ方はヘアスプレーがあたった箇所がかぶれてしまうことが多かった。
本発明はそれらの問題を解決し、ヘアスプレーの刺激から肌を守るようになされたものである。
【課題を解決する手段】
【０００４】いま、その構成を説明すると、
（イ）顔型に布を裁ち（１）、見とおしがよくなるように目の位置に穴を設ける。
（ロ）呼吸ができるように顔型の布（１）の鼻と口の位置に穴を設ける。
（ハ）顔型の布（１）に耳にかけるひも（４）を設ける。
（ニ）顔型の布（１）の下部に顎型の布（２）を設ける。
（ホ）顎型の布（２）の下部に首をおおう布（３）を設ける。
（ヘ）首をおおう布（３）の上部にマジックテープ（５）を設け、首後方部で布をとめることができるようにする。
本発明は、以上の構成により顔だけでなく首全体もヘアスプレーの刺激から守ることができるマスクである。
【発明を実施するための最良の形態】
【０００５】以下、本発明の実施の形態を説明する。
（イ）顔型に布を裁ち（１）、見とおしがよくなるように目の位置に穴を設ける。この際、布の生地は綿、ガーゼ、コットン等何でもよい。
（ロ）顔型の布（１）に呼吸ができるよう鼻と口の位置に穴を設ける。布自体に多少の通気性があり、長時間着用するものではないので口と鼻に二箇所の穴を設けてもよいし、どちらか一方だけでもよい。
（ハ）顔型の布（１）に耳にかけるひも（４）を設ける。ひもの中にゴムを通したり、ボタンをつけることによって長さ調節をできるようにする。
（ニ）顔型の布（１）の下部に顎型の布（２）を設ける。
（ホ）顎型の布（２）の下部に首をおおう布（３）を設ける。この際、首全体をおおうことができれば布の長さやデザインはどんなものでもよい。
（ヘ）首をおおう布（３）の上部にマジックテープ（５）を設ける。首後方部でとめる箇所はマジックテープに限らず、とめることが可能な物であればボタン等何でもよい。
本発明は以上の構成によりなる。
本発明を使用する際はヘアスプレー使用時でマスクを耳にかけ、首後方部でマジックテープをとめる。
【発明の効果】
【０００６】  ヘアセット時に本発明品を使用する事により、ヘアスプレーが顔や首にかかることによって生じるかぶれを防ぐことができる。又、本発明品は布でできている為、簡単に洗うことができ、常に清潔な状態を保つことが可能である。
【図面の簡単な説明】
【図１】本発明の正面図
【図２】本発明の側面図
【図３】本発明の背面図
【符号の簡単な説明】
１は顔型の布
２は顎型の布
３は首をおおう布
４は耳にかけるひも
５はマジックテープ
【図１】
2005095539.tif 000003
【図２】
2005095539.tif 000004
【図３】
2005095539.tif 000005
(57)【要約】      （修正有）【課題】毛根の皮脂やスタリング剤も確実に取り除くことができ、より効果的な育毛促進が期待できる微細振動・育毛マッサージ・シャンプーブラシを提供する。【解決手段】防水振動体をシャンプーブラシと合体させることにより、快い微細振動マッサージを可能とする。防水振動とシャンプーブラシとの接続は鉄芯をもってなされる。鉄芯の長さは、シャンプーブラシの重心まで達していることが必要である。【選択図】図１
2005095534.tif 000002
【特許請求の範囲】
【請求項１】
シャンプーブラシに防水振動体を接続することにより、微細動マッサージ・シャンプーを可能とした微細振動・育毛マッサージ・シャンプーブラシ。
【発明の詳細な説明】
【発明の詳細な説明】
［発明の属する技術分野］
【０００１】本発明は、育毛促進のために、シャンプーブラシに防水振動体を接続し、微細動マッサージ・シャンプーを可能とした、シャンプーブラシに関する発明である。
［従来の技術］
【０００２】従来は、微細動マッサージのできるシャンプーブラシはなかった。
［発明が解決しようとする課題］
【０００３】従来のシャンプーブラシでの頭皮・毛根マッサージでは、直線的なブラッシングしかできず、素人が細動マッサージを試みるとブラシに毛髪が絡み付き、かえって抜け毛が増えてしまう。したがって、育毛の阻害要因である毛根の皮脂やスタイリング剤も確実に取り除くことはできなかった。本発明は、この課題を解消するためになされたものである。
［課題を解決するための手段］
【０００４】シャンプーブラシに防水振動体を接続することによって、快い微細振動マッサージを可能とし、毛根の皮脂やスタイリング剤も確実に取り除くことができ、育毛を促進できる。
［発明の実施の形態］
【０００５】防水振動体とシャンプーブラシとの接続は５．鉄芯をもってなされる。また鉄芯の長さは、シャンプーブラシの重心まで達している事が必要である。
［発明の効果］
【０００６】理容・美容のシャンプー名人にも優るとも劣らない、頭皮・毛根に超爽快な微細振動マッサージを可能とし、毛根の皮脂やスタイリング剤も確実に取り除くことができ、より効果的な育毛を促進することができる。
【図１の簡単な説明】
【符号の説明】
１．プラスチックカバー（防水ゴムパッキンを介し上蓋と本体に別れる）
２．小型モーター
３．回転運度振動変換ユニット
４．プラスチック底（鉄芯振動部は防水加工の溝穴とする）
５．鉄芯
６．ネジ切り防水ゴムパッキン
７．充電式電池
８．シャンプーブラシ
【図１】
2005095534.tif 000003
【手続補正書】
【提出日】平成15年12月15日(2003.12.15)
【手続補正１】
【補正対象書類名】明細書
【補正対象項目名】全文
【補正方法】変更
【補正の内容】
【発明の詳細な説明】
【技術分野】
【０００１】本発明は、育毛促進のために、シャンプーブラシに防水振動体を接続し、微細動マッサージ・シャンプーを可能とした、シャンプーブラシに関する発明である。
【背景技術】
【０００２】従来は、微細動マッサージのできるシャンプーブラシはなかった。
【発明が解決しようとする課題】
【０００３】従来のシャンプープラシでの頭皮・毛根マッサージでは、直線的なブラッシングしかできず、素人が細動マッサージを試みるとブラシに毛髪が絡み付き、かえって抜け毛が増えてしまう。したがって、育毛の阻害要因である毛根の皮脂やスタイリング剤も確実に取り除くことはできなかった。本発明は、この課題を解消するためになされたものである。
【課題を解決するための手段】
【０００４】シャンプーブラシに防水振動体を接続することによって、快い微細振動マッサージを可能とし、毛根の皮脂やスタイリング剤も確実に取り除くことができ、育毛を促進できる。
【発明を実施するための最良の形態】
【０００５】防水振動体とシャンプーブラシとの接続は５．鉄芯をもってなされる。また鉄芯の長さは、シャンプーブラシの重心まで達している事が必要である。
【発明の効果】
【０００６】理容・美容のシャンプー名人にも優るとも劣らない、頭皮・毛根に超爽快な微細振動マッサージを可能とし、毛根の皮脂やスタイリング剤も確実に取り除くことができ、より効果的な育毛を促進することができる。
【図面の簡単な説明】
【０００７】
【図１】  プラスティックカバーの直径は６０ｍｍ・高さは５５ｍｍ、シャンプーブラシの直径は９５ｍｍである。
【符号の説明】
【０００８】    １．プラスチックカバー（防水ゴムパッキンを介し上蓋と本体に別れる）
２．小型モーター
３．回転運度振動変換ユニット
４．プラスチック底（鉄芯振動部は防水加工の溝穴とする）
５．鉄芯
６．ネジ切り防水ゴムパッキン
７．充電式電池
８．シャンプーブラシ
(57)【要約】【課題】  非介護者を移乗する際、楽にかつ安全に移乗できるベルトを提供する。【解決手段】ベルト（１）の先端に、止め具（２）を設け、非介護者に装着し、腰ベルト（３）を持って移乗することにより、安全かつ楽に移乗できるベルト。【選択図】  図１
2005095533.tif 000002
【特許請求の範囲】
【請求項１】
ベルト（１）の先端に止め具（２）を設け、非介護者に装着し、腰ベルト（３）を持って非介護者を移乗することを特徴とした介護用ベルト
【請求項２】
腰ベルト（３）の両脇からベルト（１）の先端にかけて、横ベルト（５）を設けることにより、ベルト（１）の前後のずれを防止できる請求項１の介護用ベルト。
【発明の詳細な説明】
【技術分野】
【０００１】  この発明は、介護者が非介護者をベットと車椅子等の相互移乗の際に、安全かつ楽に移乗できる介護用ベルトに関するものである。
【背景技術】
【０００２】  従来より移乗用具や器具はあるが高価なものがほとんどである。また、装着方法や使用方法の難しいものが多い。
【発明の開示】
【発明が解決しようとする課題】
【０００３】  そのために次のような問題点があった。
（イ）    非介護者のズボンの腰ベルト辺りを持って移乗するのが主流だが、ズボンが股にくい込み非介護者にとって苦痛であり、介護者にも負担になっていた。
（ロ）    脱力、拘縮のみられる非介護者の場合、介護者が体をしっかり持てず腰などに負担がかかっていた。
（ハ）    移乗用具や器具を使用しても、装着方法や使用方法が難しかった。
本発明は、以上の欠点を解決するためになされたものである。
【課題を解決するための手段】
【０００４】  ベルト（１）の先端に、止め具（２）を設け、ベルト（１）間に、腰ベルト（３）を設ける。
【発明の効果】
【０００５】  本発明を使用することによって、楽に安全に臀部を引き上げることができるので、非介護者を介護者が移乗する際の負担を軽減できる。しかも、非介護者の苦痛も軽減でき、安心して介護を委ねられる。
【発明を実施するための最良の形態】
【０００６】以下、本発明の実施の形態を説明する。
（イ）ベルト（１）の先端に受け具（２ａ）を有する止め具（２）を設ける。
（ロ）二本のベルト（１）間に腰ベルト（３）を設ける。
（ハ）ベルト（１）の両端に止め具（２）、細長状の紐（２ａ）とＴ状の突起部（２ｂ）を有する長さ調節ベルト（４）を設ける。
（ニ）腰ベルト（３）の両脇に横ベルト（５）を設け、長さ調節ベルト（４）の両脇に止め具（２）を設ける。
本発明は、以上の構成よりなりたっている。
本発明を使用するときは、次のように安全かつ楽に移乗できる。
図２に示すように、非介護者の臀部の下にベルト（１）を挿入し、止め具（２）に調節ベルトを挿入して、非介護者の締付が適当な間隙になるように止め装着する。次に図３で示すようにベルト（１）に介護者の腕を通し、非介護者を短座位にする。次に図４で示すように腰ベルト（３）を介護者が持ち移乗する。
また、長さ調節ベルト（４）で体型に合わせてベルト（１）の長さを調節することができる。
なお図５に示すように、腰ベルトの両脇に横ベルト（５）を設け、横ベルト（５）を止め具（２ｂ）に装着することによってベルト（１）の前後のずれ防止を図ることができる。
【図面の簡単な説明】
【０００７】
【図１】本発明の表面斜視図
【図２】本発明の使用状態を示す斜視図
【図３】本発明の使用状態を示す斜視図
【図４】本発明の使用状態を示す斜視図
【図５】本発明の他の実施例を示す斜視図
【図６】本発明の他の実施例を示す斜視図
【符号の説明】
【０００８】      １  ベルト
２  止め具
３  腰ベルト
４  長さ調節ベルト
５  横ベルト
【図１】
2005095533.tif 000003
【図２】
2005095533.tif 000004
【図３】
2005095533.tif 000005
【図４】
2005095533.tif 000006
【図５】
2005095533.tif 000007
【図６】
2005095533.tif 000008
(57)【要約】【課題】本発明は、従来のカワハギ釣で多くの釣人が餌取り名人と言われるカワハギに餌だけを取られてしまうという問題を解決する為一般的なタタキ釣と言われる釣法で餌を取られずに釣れる釣具を提供しようとするもの。【解決手段】上記課題を解決することを目的としてなされた本発明の構成は仕掛けの下部にゴムクッションを設け錘と係止し、タタキ釣と言われる釣法で釣竿を振動させても仕掛けには錘が繋がれているため餌が踊らずに取られるという原因である動かない餌の振動を増幅するため、仕掛けと錘との間にゴムクッションを配置することによりクッションの作用で仕掛けに取付けられた餌がよく踊り餌取りを防止することを特徴とするカワハギ釣用ゴムクッション付錘である。【選択図】  図１
2005095191.tif 000002
【特許請求の範囲】
【請求項１】
釣用錘から上方へ向け釣用ゴムクッションを係止し、ゴムクッション上端に仕掛け係止具又はハリス止めを設けたことを特徴とするカワハギ釣用ゴムクッション付錘。
【請求項２】
ゴムクッション下端に錘を直結又はヨリモドシなどの係止具を介し係止した請求項１のカワハギ釣用ゴムクッション付錘。
【発明の詳細な説明】
【技術分野】
【０００１】本発明は、カワハギ釣用ゴムクッション付錘に関するものである。
【背景技術】
【０００２】従来、カワハギ釣には、ゴムクッションは使用されず、錘と仕掛けを直結して使用している。
【発明の開示】
【発明が解決しようとする課題】
【０００３】本発明は、従来のカワハギ釣で多くの釣人が餌取り名人と言われるカワハギに餌だけを取られてしまうという問題を解決するため一般的なタタキ釣と言われる仕掛けを振動させる釣法で、餌を取られずに釣れる釣具を提供しようとするものである。
【課題を解決する為の手段】
【０００４】上記課題を解決することを目的としてなされた本発明の構成は仕掛けの下部にゴムクッションを設け錘と係止し、タタキ釣と言われる釣法で釣竿を振動させても仕掛けには錘が繋がれているため、餌が踊らずに取られるという原因である動かない餌の振動を増幅するため、仕掛けと錘との間にゴムクッションを配置することにより、クッションの作用で仕掛けに取付けられた餌がよく踊り餌取りを防止することを特徴とするカワハギ釣用ゴムクッション付錘である。
【発明を実施するための最良の形態】
【０００５】本発明の実施の形態を添付図面及び符号に基づいて詳細に説明する。図１は本発明の一例を示す側面図であり、ゴムクッション４上部の仕掛け係止具７で仕掛け１を係止し、ゴムクッション４を折り返し接着又は、溶着などをして錘６を直結した一例であり、図２は、ゴムクッション４上部にハリス止め２を設けゴムクッション４を折り返し接着又は、溶着などをして錘６を直結した例である。図３は、図２のゴムクッション４と錘６を直結せずにヨリモドシ５を介し錘６を接続した別例である。【０００６】本発明におけるカワハギ釣用ゴムクッション付錘、錘、ハリス止めの形状は上述のものに限定されるものではないことは勿論である。
【発明の効果】
【０００７】本発明のカワハギ釣用ゴムクッションをカワハギ釣に使用する場合、従来の仕掛けの下に本発明のカワハギ釣用ゴムクッションを接続することにより錘を海底に着けたまま釣竿を振動させると、ゴムクッションが作用し上部の仕掛けが振動し、それに伴って釣鈎、餌も振動し餌を取られることを防ぎ効率的なカワハギ釣をすることが可能であり好釣果が得られるものである。
【図面の簡単な説明】
【０００８】
【図１】本発明カワハギ釣用ゴムクッション付錘の一例の側面図。
【図２】本発明カワハギ釣用ゴムクッション付錘の例の側面図。
【図３】本発明カワハギ釣用ゴムクッション付錘の例の側面図。
【符号の説明】
【０００９】１  仕掛け糸
２  ハリス止め
３  ハリス
４  ゴムクッション
５  ヨリモドシ
６  錘
７  仕掛け係止具
【図１】
2005095191.tif 000003
【図２】
2005095191.tif 000004
【図３】
2005095191.tif 000005
(57)【要約】【課題】  今まで、鉢物全般の植物の管理は植木鉢（コンテナ）の中が見えないため、基本となる水やりや、植え替えの実施時期については、経験とカンにたよっていた。  しかし、特に初心者においては失敗も少なくなく、またサボテン・盆栽など管理の難しいものもある。  その問題を解決する有効な手段としてのぞき窓付き植木鉢（コンテナ）を今回提案する。【解決手段】  のぞき窓が付くことにより、鉢内の用土の状態が確認できる。一番大きな長所として鉢内の保水状態が確認できる事であり、きわめて色の薄い用土では、難しい場合もあるが、一般に使用される腐葉土・赤玉土・培養土等は水分の保有量に比例して用土の色が濃くなり水やりの目安となる。また鉢底まで根が回り植え替えが必要な時期ものぞき窓から確認する事が可能である。【選択図】  図１
2005095122.tif 000002
【特許請求の範囲】
【請求項１】
鉢内の状態が確認できる窓付きの植木鉢（コンテナ）
【発明の詳細な説明】
【発明の詳細な説明】
【技術分野】
【０００１】  この発明は、植木鉢（コンテナ）の側面に縦長で帯状の透明な素材をとりつけ、のぞき窓を設ける事により、鉢の中の用土の状態・根回りの状態が確認できるものである。
【背景技術】
【０００２】  植木鉢（コンテナ）は、鉢内部の状態が確認できない。
【発明の開示】
【発明が解決しようとする課題】
【０００３】  従来の植木鉢（コンテナ）は、当然鉢の内部が見えないため加水による植物の根くされ、水やり不足による水枯れなどが起こった。
また、盆栽などでは植え替え時期の適時があるが、長期間植え替えを行わないことにより根が回りすぎることもあり、経験とカンに頼らざるおえなかった。
【課題を解決するための手段】
【０００４】  植木鉢（コンテナ）内の用土の乾き具合、湿り具合をのぞき窓から確認し水やりの判断をおこなう。
また、根回りの状態が適時となった場合の確認も容易である。
【発明の効果】
【０００５】  透明な植木鉢の作成も考えられるが、植木鉢（コンテナ）の側面に１０ｍｍから３０ｍｍ幅ののぞき窓を取り付ける事により、それを主に日陰側（裏側）に向けて置き美観を全く損ねなく使用することができる。
【図面の簡単な説明】
【０００６】
【図１】  のぞき窓付き植木鉢（コンテナ）の全体図である。
【図２】  図１と同じく植木鉢（コンテナ）のプランターの全体図である。
【符号の説明】
【０００７】１  植木鉢（コンテナ）本体
２  のぞき窓
【図１】
2005095122.tif 000003
【図２】
2005095122.tif 000004
(57)【要約】【課題】  観賞魚飼育に使用するエアレーション方式の濾過フィルターは、泡が水面で弾けて辺りを汚すので、美観を損なわず確実に飛散する水滴を防ぐ。【解決手段】  エアレーション方式の濾過フィルター８に接続されるエアチューブ５に、浮力のある水滴飛散防止ドーム１を装着させ濾過フィルター本体を水中に吊る。濾過フィルターは常に水滴飛散防止ドームの真下に位置するので、泡はドームの中で打ち消される。【選択図】  図１
2005095128.tif 000002
【特許請求の範囲】
【請求項１】
浮力のあるドームをエアチューブに装着させ、エアレーション方式のフィルターと共に水槽内に浮遊させる水中浮遊型フィルターシステム。
【請求項２】
浮力のあるドームにエアチューブを通し水面に浮かせる、エアレーション時の水滴飛散防止装置。
【発明の詳細な説明】
【技術分野】
【０００１】  本発明は、プラスチック製のドームをエアチューブに装着し、エアレーション方式の濾過フィルター使用時に飛散する水面上の水滴を抑えつつ、水を濾過する装置である。
【背景技術】
【０００２】  従来、エアレーション時の水滴飛散を防ぐ手段は水槽に蓋をするしかなかった。
【発明の開示】
【発明が解決しようとする課題】
【０００３】  エアレーション時の水飛散した水滴は、水面より上の水槽内壁や、水槽の周りを汚す原因であった。たとえ蓋をしても、水槽内壁や蓋の汚れは防げなかった。
【課題を解決するための手段】
【０００４】  エアレーション方式の濾過フィルターから発生した泡は、水面で広がり弾けて飛散する。
本発明は、水面の泡が広がる前に、水面に浮かべたドーム内で泡を弾けさせ、飛散する水滴をブロックする仕組みである。
ドームは常にエアレーション方式の濾過フィルターの上に位置しなければいけないので、エアレーション方式の濾過フィルターに接続しているエアチューブを、ドーム中央の穴に通すことにより安定させた。
【発明の効果】
【０００５】  本発明により、エアレーション方式の濾過フィルターを使用しても、水面上の泡による水滴飛散が防げる。つまり、水槽の内外が汚れにくくなり、飼育上の手入れが楽になる。
【発明を実施するための最良の形態】
【０００６】  以下、本発明の実施例について説明する。
エアレーション方式の濾過フィルター８に、エアチューブ５を接続する。
エアチューブ５に水滴飛散防止ドーム１を装着させる。
本発明は以上のような構成で、これを使用するときは観賞魚水槽の中に浮遊させる。
エアレーション方式の濾過フィルター８により水は濾過され、発生した泡の水滴飛散は、水滴飛散防止ドーム１により防がれる。
【図面の簡単な説明】
【０００７】
【図１】本発明を水槽内で使用中の斜視図である。
【図２】水滴飛散防止装置の断面図である。
【図３】水滴飛散防止装置の平面図である。
【符号の説明】
【０００８】  １    水滴飛散防止ドーム
２    エアチューブ通し穴
３    通気穴
４    浮き輪
５    エアチューブ
６    エアチューブ通し穴
７    泡通し穴
８    エアレーション方式の濾過フィルター
９    エアストーン
１０  濾過材
１１  水流穴
【図１】
2005095128.tif 000003
【図２】
2005095128.tif 000004
【図３】
2005095128.tif 000005
(57)【要約】【課題】  観葉植物を移動させることなく、観葉植物を覆い、気温や環境の変化に対応できる開閉式保護カバーを提供する。【解決手段】  傘体に中空軸を設け、開閉することにより、観葉植物を移動させずに、その場で使用可能となり、ゴム球体を設けて、補足を装着することで高さを自在に調節できることを特徴とする観葉植物の開閉式保護カバー。【選択図】  図１
2005095124.tif 000002
【特許請求の範囲】
【請求項１】
中空軸の下部より放射状に設けた複数の骨軸が、布ひもを引くことによって開閉する方式の傘体において、骨軸の上面前面を透明布張りで覆い、傘軸の下部に横軸を設け、傘軸の下端にゴム球体を設ける。
以上を特徴とする観葉植物の開閉式保護カバー。
【発明の詳細な説明】
【技術分野】
【０００１】  本発明は、観葉植物を移動させることなく、観葉植物を覆い、保温、保護を目的とするカバーである。【０００２】  従来、寒期になると温度調節のために、観葉植物を暖かい場所に移動させたり、観葉植物にビニール袋をかけて保温していた。風に弱い植物にも同様にビニール袋をかけて保護していた。
【発明の開示】
【発明が解決しようとする課題】
【０００３】  そのために、次のような問題点があった。
（イ）観葉植物を移動させる時に、枝、花を傷つけたり、折れたりしていた。
（ロ）備え付けの温室を作ると、特別の場所が必要になったり、温室に入れたままでは常時、観賞することができず、また手入れを怠る。
本発明は、これらの問題点を解決するためになされたものである。
【課題を解決するための手段】
【０００４】  中空軸（３）の下部より放射状に設けた複数の骨軸（１）が、布ひも（４）を引くことによって開閉する方式の傘体において、骨軸（１）の上面前面を透明布張り（２）で覆い、傘軸（１）の下部に横軸を設け、傘軸（１）の下端にゴム球体（６）を設ける。
以上を特徴とする観葉植物の開閉式保護カバーである。
【発明の効果】
【０００５】  この発明は観葉植物を移動させることなく、簡単に着脱でき、観葉植物を傷つけることなく、保温、保護ができるカバーである。
【発明を実施するための最良の形態】
【０００６】  以下、本発明の実施の形態について説明する。
（イ）中空軸（３）の下部より放射状に設けた複数の骨軸（１）が、布ひも（４）を引くことによって開閉する方式の傘体において、中空軸（３）の中途に設けた止め金（５）により、骨軸（１）が開いた状態が保持される。
（ロ）骨軸（１）の上面前面を透明布張り（２）で覆う。
（ハ）ゴム球体（６）は天と地の面にそれぞれ穴（８）が設けられ、ゴム球体（６）の横には貫通孔（９）が水平に設けてある。
（ニ）各骨軸（１）の下端は、それぞれゴ厶球体（６）の天または地の面の六（８）に挿入して骨軸（１）に装着する。
（ホ）球体（６）の貫通孔（９）に横軸（７）を通す。
（ヘ）球体（６）の下面の穴（８）に補足（１０）を設け、各補足（１０）の下端に球体（６）の上面の穴（８）に挿入し固定する。
（ト）補足（１０）の下端に設けたゴム球体（６）の貫通孔（９）に横軸（７）を通して設ける。
本発明は以上のような構成よりなっている。
本発明を使用するときは、開閉式保護カバーを止め金具（５）で止まるまで布ひも（４）を引っぱり保護カバーを開ける。
それぞれの骨軸（１）の下端にゴム球体（６）の穴（８）に挿入する。骨軸（１）の下端のゴム球体（６）の貫通孔（９）すべてに横軸を通す。
【実施例１】
【０００７】  図１を使用して、観葉植物の高さが合わない場合は、骨軸（１）に挿入したゴム球体（６）の下面の穴（８）すべてに補足（１０）を挿入し高さを調節する。
それぞれの補足（１０）の下端にもゴム球体（６）の穴（８）に挿入する。
補足（１０）に挿入したゴム球体（６）の貫通孔（９）に横軸を通す。
ゴム球体（６）と補足（１０）を何段でもつなぎ合わせることにより、高さは自在に調節可能となる。
【図面の簡単な説明】
【０００８】
【図１】本発明の斜視図
【図２】本発明の要部拡大斜視図
【図３】本発明の要部拡大斜視図
【図４】本発明の補足をつけた斜視図
【符号の説明】
【０００９】    １  骨軸
２  布張り
３  中空軸
４  布ひも
５  止め金具
６  ゴム球体
７  横軸
８  穴
９  貫通孔
１０  補足
【図１】
2005095124.tif 000003
【図２】
2005095124.tif 000004
【図３】
2005095124.tif 000005
【図４】
2005095124.tif 000006
(57)【要約】【課題】従来の犬の散歩時には、犬の糞の処理に何枚もの袋を携帯したり、処理道具を持って散歩に行っていました。袋を一枚で済ますように、袋の内側に手を入れて糞を掴み袋の中に糞を包み入れるやり方だは、大型犬では一回、中型犬で二回がだいたい限度でした。処理道具を持っての犬の散歩では、犬が暴れた時にには意外と不要な事もあります。【解決手段】この発明の袋は、（ア）部分を設けた事で、犬の散歩時の糞の処理が一枚で済みます。臭いも（イ）部分にはジッパーが付いてあり、臭いも防げます【選択図】図２
2005095117.tif 000002
【特許請求の範囲】
【請求項１】
図１のように取っ手の間に（ア）の蝶々型部犬、猫の糞を掴むことができ。（イ）の口の所にはジッパーが付いており、糞の臭いを止めます
【請求項２】
図１の（ア）の部分はビニール袋と一体で。図２のように裏から手が入るようになっていて、片手で糞を掴みビニール袋の中に入れて。（イ）の部分のジッパーを閉めて処理します
【請求項３】
図１、２の（ウ）（エ）の部分で（イ）の部分のジッパーは簡単に開けられます
【請求項４】
図２は、ジッパーが無いビニール袋で材質も形も図１と同じです。
【発明の詳細な説明】
【発明の詳細な説明】
【技術分野】
【０００１】（ウ）（エ）を引っ張ってジッパーを開けて、内側にある（ア）の部分に手を入れ、（ア）の部分を出します。【０００２】図１の（ア）部分で犬、猫の糞を掴みあげてそのまま糞は袋の中に処理します。【０００３】（ア）部分はビニール袋の内側にあり全体と一体になっていて使用後は中に入れておきます。
【背景技術】使用する材料は燃やしても無害なので家庭ごみで処理できます。
【発明の開示】
【発明が解決しようとする課題】
【０００４】手の汚れもなく簡単で何枚でも携帯ができて便利です又、犬猫の糞以外にも色々な汚物に使用できて臭いもしません。【０００５】ビニール袋の内側に手を入れて、糞を掴むのでは一回で終わってしまい。何枚も携帯しますが、この発明物を使用することで携帯の枚数が一枚で問題を解決します
【課題を解決するための手段】図１、（ア）部分が全体と一体に成り、ジッパーで糞の臭いを止める事が糞取り袋の課題の解決になります。
【発明を実施するための最良の形態】
【０００６】犬の散歩時に糞の処理にとても便利です。【０００７】屋内の砂場やペットシーツの糞の処理にも臭いがしないので便利です。
【発明の効果】
【０００８】図１の（ア）は内側にあり、服や周りのものは汚れません
【０００９】一度の犬の散歩で内側の（ア）部分に糞が触れるまで使用できます
【００１０】袋なので小さくたため、何枚でも携帯できジッパーを閉めると臭いがしないので車内でも便利です
【図面の簡単な説明】
【００１１】
【図１】全体図
【図２】全体図
【符号の説明】
【００１２】（ア）は全体の中心にあり、糞を掴む部分
（イ）はジッパーになっている部分
（ウ）（エ）は口を開ける部分
【図１】
2005095117.tif 000003
【図２】
2005095117.tif 000004